(57)【要約】【課題】可燃性冷媒を用いた自動販売機において、貯蔵庫内に漏洩した冷媒を確実に排出して、安全性を高めることを目的とする。【解決手段】内扉上方に吸込ファン２６ならびに通気フラップ２８で形成されている外気導入手段２９を設置し、ファン取付ブラケット２７の周縁にフランジ３４を設けることで特別なシール部材を必要とせず、漏洩検知手段２２が漏洩を検知した時に吸込ファン２６を運転することにより外気導入し、貯蔵庫に滞留する冷媒を商品搬出口とドレン水排出口を介して排出することができ、安価で安全に貯蔵庫内の冷媒濃度を速やかに低下させることができる。【選択図】図１
2011257827.tif 000002
【特許請求の範囲】
【請求項１】
断熱区画された自動販売機本体内に商品を収納する商品収納部と、前記商品収納部の下部に冷却システムの室内熱交換器や庫内ファンを有する冷却加温室と、前記自動販売機本体の前面に配置した外扉と、前記商品収納部の前面を覆う内扉と、前記冷却加温室の下方に機械室とを備え、前記冷却システムに可燃性冷媒を用いた自動販売機において、冷媒漏洩検知手段と、前記内扉にファンとファン取付ブラケットと通気フラップとを備えた外気導入手段とを有し、前記ファン取付ブラケットの周縁にフランジを設けたことを特徴とする自動販売機。
【請求項２】
前記ファン取付ブラケットに空洞部を設けたことを特徴とする請求項１に記載の自動販売機。
【請求項３】
前記ファン取付ブラケットの前記フランジにガイド設けたことを特徴とする請求項１または２に記載の自動販売機。
【発明の詳細な説明】
【技術分野】
【０００１】
本発明は、缶飲料などの商品を冷却あるいは加温して販売する自動販売機において、冷却あるいは加温システムに使用する冷却システムに可燃性冷媒を用いた自動販売機に関するものである。
【背景技術】
【０００２】
近年、オゾン層保護および地球温暖化防止の観点から、イソブタンやプロパンなどの炭化水素からなる自然冷媒を使用した冷却システムが望まれている。自動販売機などの冷却貯蔵庫において可燃性のある炭化水素を冷媒として使用する際には防爆対応した電気部品などが用いられるが、さらに安全を高めるために冷媒の漏洩を検知して漏洩した冷媒を庫外に排出するものが提案されている（例えば、特許文献１参照）。
【０００３】
上記従来技術においては、庫内の内扉背面に設けられた吸気口にファンとフラップを設置する場合、ファンブラケットを取り付けるための開口部を内扉に設け、ファンブラケットと開口部との隙間をシールするために軟質フォーム等を周縁に配置する必要がある。
【先行技術文献】
【特許文献】
【０００４】
【特許文献１】特開２００９−２５８９５１号公報
【発明の概要】
【発明が解決しようとする課題】
【０００５】
しかしながら、上記従来の自動販売機では、ファン取り付けブラケットを内扉に設置する場合、ウレタン樹脂の発砲体などを切り欠くため、その切り口をテープなどで封止し、スライドさせ、さらに設置後にもテープにて固定、さらに、上部にはフォームなどのスペーサーを貼り付けるため、作業性が悪いという課題があった。
【０００６】
本発明は上記従来の課題を解決するものであり、内扉の断熱機能を損なわず、作業性を容易にした上で安定して漏洩した冷媒を庫外に排出することができる自動販売機を提供することを目的とする。
【課題を解決するための手段】
【０００７】
上記従来の課題を解決するために、本発明の自動販売機は、断熱区画された自動販売機本体内に商品を収納する商品収納部と、前記商品収納部の下部に冷却システムの室内熱交換器や庫内ファンを有する冷却加温室と、前記自動販売機本体の前面に配置した外扉と、前記商品収納部の前面を覆う内扉と、前記冷却加温室の下方に機械室とを備え、前記冷却システムに可燃性冷媒を用いた自動販売機において、冷媒漏洩検知手段と、前記内扉にファンとファン取付ブラケットと通気フラップとを備えた外気導入手段とを有し、前記ファン取付ブラケットの周縁にフランジを設けたものである。
【０００８】
これによって、ファン取付け作業性を容易にした上で内扉の断熱機能を損なうことなく、安定して漏洩した冷媒を庫外に排出することができる。
【発明の効果】
【０００９】
本発明の自動販売機は、ファン取付け作業性を容易にした上で内扉の断熱機能を損なうことなく、安定して漏洩した冷媒を庫外に排出することができるので、低コスト化を図りながら可燃性冷媒を用いた自動販売機の信頼性を高めることができる。
【図面の簡単な説明】
【００１０】
【図１】本発明の実施の形態１における自動販売機の縦断面図
【図２】同実施の形態の自動販売機の要部縦断面図
【図３】同実施の形態の自動販売機の外気導入手段の側面図
【図４】同実施の形態の自動販売機のファン取付ブラケット縦断面図
【図５】同実施の形態の自動販売機の通気フラップ裏面斜視図
【図６】同実施の形態の自動販売機のファン取付ブラケットの斜視図
【発明を実施するための形態】
【００１１】
請求項１に記載の発明は、断熱区画された自動販売機本体内に商品を収納する商品収納部と、前記商品収納部の下部に冷却システムの室内熱交換器や庫内ファンを有する冷却加温室と、前記自動販売機本体の前面に配置した外扉と、前記商品収納部の前面を覆う内扉と、前記冷却加温室の下方に機械室とを備え、前記冷却システムに可燃性冷媒を用いた自動販売機において、冷媒漏洩検知手段と、前記内扉にファンとファン取付ブラケットと通気フラップとを備えた外気導入手段とを有し、前記ファン取付ブラケットの周縁にフランジを設けたものであり、ファン取付け作業性を容易にした上で内扉の断熱機能を損なうことなく、安定して漏洩した冷媒を庫外に排出することができるので、低コスト化を図りながら可燃性冷媒を用いた自動販売機の信頼性を高めることができる。
【００１２】
請求項２に記載の発明は、請求項１に記載の発明において、前記ファン取付ブラケットに空洞部を設けたものであり、樹脂の厚みを均一にし、成型時の時間を短縮し、ひけなどの樹脂変形を抑制することができ、寸法精度を高めることができる。
【００１３】
請求項３に記載の発明は、請求項１または２に記載の発明において、前記ファン取付ブラケットの前記フランジにガイド設けたものであり、内扉の切り欠き部に前記ファン取付ブラケットを挿入する場合にガイドにより挿入しやすくでき、作業性を向上することができる。
【００１４】
以下、本発明の実施の形態について、図面を参照しながら説明する。なお、この実施の形態によってこの発明が限定されるものではない。
【００１５】
（実施の形態１）
図１は本発明の実施の形態１における自動販売機の縦断面図である。図２は同実施の形態の自動販売機の要部縦断面図である。図３は同実施の形態の自動販売機の外気導入手段の側面図である。図４は同実施の形態の自動販売機のファン取付ブラケット縦断面図である。図５は同実施の形態の自動販売機の通気フラップ裏面斜視図である。図６は同実施の形態の自動販売機のファン取付ブラケットの斜視図である。
【００１６】
図１から図６において、自動販売機本体１の前面上部にはサンプル商品を展示し金銭授受や商品搬出を行う外扉２を備え、内部に飲料缶などの商品を貯蔵する貯蔵庫３を有している。貯蔵庫３の周囲にはウレタン発泡材などからなる断熱壁として背面パネル４、上面パネル５、下面パネル６、上部内扉７、下部内扉８を配置している。そして、下部内扉８に商品搬出口９、外扉に商品取り出し口１０を設け、商品販売時には商品搬出口９を通して貯蔵庫３に貯蔵している商品をドアシュート１１に搬出した後、商品取り出し口１０を介して消費者が搬出された商品を受け取る。
【００１７】
また、貯蔵庫３の上部に吊り下げ金具１２を配置し、缶飲料などの商品を保持する複数の商品収納コラム１３〜１５を吊り下げることですべての商品を収納している。貯蔵庫３の下部にはヒータ１６、庫内ファン１７、蒸発器１８を設置し、貯蔵庫３の外に設置され
た圧縮機１９、庫外ファン２０、凝縮器２１とともに形成された冷却加温システムを用いて、貯蔵庫３内の商品の加温と冷却を行っている。商品の加温は約５５℃、冷却は約３℃に設定される。冷却加温システムの冷媒としては、可燃性冷媒であるイソブタンを使用している。
【００１８】
そして、貯蔵庫３の下部に冷媒の漏洩を検知する漏洩検知手段２２を設置し、上部内扉７に吸込ファン２６とファン取付ブラケット２７、ならびに通気フラップ２８からなる外気導入手段２９を備えている。ここで、図２に示すように、外気導入手段２９はファン取付ブラケット２７に吸込ファン２６をハメ込みやビス締めで取付けてあり、ファン取付ブラケット２７の風向きの下流側には通気フラップ２８を同様にはめ込みやビス締めにて取り付けており、外気導入手段２９自体は、例えば上部内扉７はウレタン樹脂の発泡体などで出来ているため、上部内扉の外気導入手段２９の取付部分の上部を開放して切り欠き、上方よりスライドするだけで上部内扉７に設置することができる。ファン取付ブラケット２７の周縁側部と下部にはフランジ３４が設けてあり、上部内扉７の切り欠きを圧縮してスライドするため、切り欠きにテープなどを貼る必要なく作業することができる。
【００１９】
また、ファン取付ブラケット２７の上部に空洞部３５を設けることで、樹脂の厚みを均一にし、成型時の時間を短縮し、ひけなどの樹脂変形を抑制することができ、寸法精度を高めることができる。
【００２０】
また、ファン取付ブラケット２７全周のフランジ３４の下部にガイドを設けることで、上部内扉７の切り欠き部にファン取付ブラケット２７を挿入する場合にガイド３６により挿入しやすくでき、作業性を向上することができる。
【００２１】
ここで、図３と図４において、通気フラップ閉時のファン取付ブラケット２７と通気フラップ２８との密着部には、全周に渡って土台フランジ３０が設けてあり、土台フランジ３０は側面から見て、上下方向の上部が鋭角になるように３°から５°の傾斜が設けられている。これにより、通常自動販売機の設置は転倒の恐れがあるため３°傾斜以内と定められているため、設置時に前後に傾斜したとしても、ファン取付ブラケット２７と通気フラップ２８は密着されるため、隙間による貯蔵庫３の内外の熱リークを低減することができる。
【００２２】
このとき、土台フランジ３０により吸込ファン２６の前面を密着させた構造にすることで、吸込ファン２６の前部への飛び出しを防止することで、吸込ファン２６の動作を確実にすることができる。また、通気フラップ２８のファン取付ブラケット２７と対峙する面に３ｍｍ前後のスロート３１を設けることで、通常運転時に外部ショック等で通気フラップ２８が開いても、ファン取付ブラケット２７と通気フラップ２８との間の隙間がスロート３１により埋まるため、より熱リークを低減させることができる。また、上部内扉７と外扉２は工法上、一体型になっていることが多く、吸込ファン２６が外扉２に密着してしまうと、外扉２が抵抗になり、充分な吸い込み風量を確保できなくなるため、ファン取付ブラケット２７の吸込ファン２６の取付位置後方にストッパー３２を設けることで、吸込ファン２６の取付位置が固定でき、吸込ファン２６の吸い込み側の容積を確保することで排気効率を高めることができる。また、外気導入手段２９は、部分的に周りのウレタン樹脂に比べて、吸熱量が劣るため、結露する場合があるが、ファン取付ブラケット２７の下部に面取り３３を施すことで結露水の排水を貯蔵庫３の庫内側に落とすことで庫内の排水機構を用いて、結露水を排水することができる。
【００２３】
ここで、貯蔵庫３の内外に設置された電気部品は、自販機工業会自主基準（ＪＶＭＡ２Ｂ００１、附属書２「冷却ユニットの安全」）に示した要件を満足するように、防爆構造を有している。この防爆構造は、冷却加温システムから冷媒が漏洩した場合に電気部品が
着火源とならないようにするものであり、漏洩した冷媒を拡散する構造や表面温度を低く抑える構造、火炎が外部に伝播しない簡易防爆構造などを含む。
【００２４】
以上のように構成された実施の形態１の自動販売機について、以下にその動作を説明する。
【００２５】
貯蔵庫３内に配置された冷却加温システムの配管などが破損して冷媒が漏洩し、漏洩検知手段２２が冷媒を検知すると、吸込ファン２６を運転させる。吸込ファン２６の動圧で通気フラップ２８を押して、外気を導入することができる。この結果、貯蔵庫３内の圧力が上昇して庫内に滞留する冷媒を商品搬出口９や図示しないドレン水排出口から放出し、庫内の空気を連続的に置換することで漏洩した冷媒の濃度をすばやく低下させて安全性を高めることができる。
【００２６】
そして、商品搬出口９やドレン水排出口から放出された冷媒はドアシュート１１から下方に拡散しながら圧縮機１９、庫外ファン２０、凝縮器２１が配置された機械室に到達し、庫外ファン２０によって外気と混合しながら自動販売機本体１の背面から外部に排出される。これによって、貯蔵庫３内の冷媒濃度を速やかに可燃下限値以下として爆発のリスクが軽減されるとともに、商品搬出口９から放出された冷媒を外気で希釈しながら安全に排出することができる。
【００２７】
また、本実施の形態においては、貯蔵庫３外に配置された冷却加温システムの配管などが破損して冷媒が漏洩した場合に備えて、庫外ファン２０を２４時間連続運転して漏洩した冷媒を外気で希釈する構成としているが、漏洩検知手段２２で検知した場合のみ庫外ファン２０を運転してもよい。また、本実施の形態においては、貯蔵庫３内の商品の温度分布を維持するために通常連続運転する庫内ファン１７を冷媒漏洩時にも止めずに運転を継続しているが、漏洩検知手段２２で検知した場合に庫内ファン１７を停止してもよい。庫内ファン１７を停止した場合、貯蔵庫３の下方の空気が攪拌されないので、大気よりも重い冷媒であるイソブタン（比重２．０９）やプロパン（比重１．５６）は、貯蔵庫３の下方に滞留しやすいため、上部からの外気導入でより早く漏洩した冷媒を庫外へ排出することができる。
【００２８】
また、本実施の形態においては、漏洩検知手段２２を貯蔵庫３の下部に配置しているが、商品搬出口９の外側であるドアシュート１１の近傍に漏洩検知手段２２を配置し、貯蔵庫内とを導管などで連通させる手段を用いても同様の効果が期待できる。
【産業上の利用可能性】
【００２９】
以上のように、本発明にかかる自動販売機は、貯蔵庫の内扉に吸込ファンならびに通気フラップで形成されている外気導入手段を設置し、漏洩検知手段が漏洩を検知した時に吸込ファンを運転させ、その動圧で通気フラップを開放し外気を導入することにより安全に貯蔵庫内の冷媒濃度を速やかに低下させることができるので、可燃性冷媒を使用したショーケースや業務用冷凍冷蔵庫などの冷蔵あるいは冷凍機器等にも適用できる。
【符号の説明】
【００３０】
１  自動販売機本体
２  外扉
３  貯蔵庫
７  上部内扉
２２  漏洩検知手段
２６  吸込ファン
２７  ファン取付ブラケット
２８  通気フラップ
２９  外気導入手段
３４  フランジ
３５  空洞部
３６  ガイド
【図２】
2011257827.tif 000003
【図３】
2011257827.tif 000004
【図４】
2011257827.tif 000005
【図５】
2011257827.tif 000006
【図６】
2011257827.tif 000007
【図１】
2011257827.tif 000008